(57)【特許請求の範囲】
【請求項１】
月経の液を吸い取るための吸収性材料からなるパッケージ(110)を備え、パッケージ(110)中に、地磁気との相互作用を行う磁性材料(120)が組み込まれた、女性の陰門に挿入するためのタンポン器具(100)において、
磁性材料(120)が、パッケージ(110)の内部に配置された棒磁石の形状に設けられ、この棒磁石は、0.5〜10mmの範囲の長さと、0.5〜5mmの範囲の直径とを有し、パッケージ(110)がなす円柱体の形状の長軸方向を向くように、該円柱体の長軸の領域に配置され、この円柱体が、約2.0〜5.0cmの長さと、約0.5〜1.5cmの直径を有し、磁性材料(120)によって引き起こされる磁場は、強さが、地磁気の強さの0.5〜2倍であることを特徴とするタンポン器具。
【請求項２】
棒磁石の形に設けられた磁性材料(120)が、パッケージ(110)がなす円柱体中における長さ方向の中心部以外に、これより先端側に配置され、かつ、先端から離間して配置されることを特徴とする請求項１に記載のタンポン器具。
【請求項３】
パッケージ(110)が、実質上、丸められた先端面(111)を有する円柱体の形状に設けられたことを特徴とする請求項１または２に記載のタンポン器具。
【請求項４】
月経の液を吸い取るための吸収性材料からなるパッケージ(110)を備え、パッケージ(110)中に、地磁気との相互作用を行う磁性材料(120)が組み込まれた、女性の陰門に挿入するためのタンポン器具(200)において、
パッケージ(110)中に、電源(130)と、電気コイル(121)により周囲を取り囲まれた磁性材料(120)と、電気コイル(121)に通す電流をコントロールするための駆動装置(140)とが組み込まれ、
パッケージ(110)が、実質上、丸められた先端面(111)を有する円柱体の形状に設けられ、電源(130)と、磁性材料(120)を取り囲む電気コイル(121)と、駆動装置(140)とが、パッケージ(110)の内部における、円柱体の長軸の領域に備えられ、前記磁性材料(120)は、地磁気の強さの２倍の範囲で、時間の経過とともに変化する磁場を発生させることを特徴とするタンポン器具。
【請求項５】
駆動装置(140)が矩形波状またはサイン曲線状に変動する電圧を生成することを特徴とする請求項４に記載のタンポン器具。
【請求項６】
棒磁石の形態で設けられた磁性材料(120)が、パッケージ(110)がなす円柱体における長さ方向の中心部以外に、これより先端側に配置され、かつ、先端から離間して配置されることを特徴とする請求項４または５に記載のタンポン器具。
【請求項７】
電源(130)と、駆動装置(140)とが、パッケージ(110)がなす円柱体における長さ方向の中心部に配置されることを特徴とする請求項６に記載のタンポン器具。
【請求項８】
円柱体は、長さが約2.0〜5.0cmであり、直径が約0.5〜1.5cmであることを特徴とする請求項７に記載のタンポン器具。
【請求項９】
磁性材料(120)が鉄、銅またはニッケルからなることを特徴とする請求項１〜８のいずれかに記載のタンポン器具。
【発明の詳細な説明】
【技術分野】
【０００１】
本発明は、女性の陰門に挿入するタンポン器具に関する。タンポン器具は、月経の液を吸い取る吸収性材料からなるパッケージを備える。
【背景技術】
【０００２】
冒頭で述べたようなタンポン器具は、最新の従来技術において、月経の液を、まさに陰門中にて、吸い取り、短期的に貯留するのに用いられている。このようにすることで、タンポン器具の使用者は、行動の自由が制限されないからである。
【先行技術文献】
【特許文献】
【０００３】
【特許文献１】米国特許出願公開2004/064114A
【特許文献２】ドイツ実用新案DE2006-005424U
【特許文献３】英国特許出願公開GB2291374A
【発明の概要】
【発明が解決しようとする課題】
【０００４】
本発明の課題は、これまで知られていなかった形態のタンポン器具を提供することである。
【課題を解決するための手段】
【０００５】
本発明の第1の態様によると、冒頭に述べたようなタンポン器具において、パッケージに、地磁気と相互作用を行う磁性材料が組みまれている。
【０００６】
本発明の第2の態様によると、冒頭に述べたようなタンポン器具において、電源と、電気コイルに周囲を取り囲まれた磁性材料と、コイルに流れる電流をコントロールする駆動装置とが組み込まれている。磁性材料は、コイルにより生じる交替磁場の作用により、磁化の度合いを変化させるのに、適したものとなっている。これにより、時間の経過中に強さが所定の変化を行う磁場が生成される。
【０００７】
本発明の好ましい実施形態は、各従属請求項の記載内容となっている。
【発明の効果】
【０００８】
本発明の第1の態様のタンポン器具は、パッケージ中に、地磁気との相互作用を行う磁性材料が組み込まれていることにより、以下のことを実現する。タンポン器具を装着した人が常に動くことにより、磁性材料によって引き起こされた磁場が、地磁気との間で常に方向が変化する。これにより、結果的に生じる磁場の磁力は、同一方向の場合に、２つの磁場の合計に等しくなり、逆方向の場合に、より強い方の磁場から、より弱い方の磁場を差し引いた差に等しくなる。
【０００９】
本発明のタンポン器具が、装着状態で、他の、中間の位置・姿勢にある際には、結果的に生じる磁場の磁力が、上記の両極端の間の中間領域に来る。動きにより、本発明のタンポン器具の姿勢が常に向きを変えることで、磁性材料を包み込む合計磁場は、強さがランダムに変化する。このようにして引き起こされた交替磁場により、月経により生じた、陰門の筋肉組織の痙攣、並びに、筋緊張や筋硬直を緩める作用が生じると期待している。
【００１０】
本発明の第2の態様のタンポン器具は、パッケージ中に、電源と、電気コイルに周囲を取り囲まれた磁性材料と、コイルに流れる電流をコントロールする駆動装置とが組み込まれているという、組み合わせの特徴により、以下のことを実現する。駆動装置からの指定にしたがい、時間の経過中に変化する、決められた磁場が生成する。この磁場は、周囲の筋肉組織に対し直接に影響を与え、これにより、月経困難を軽減するか、または、完全に取り除く。駆動装置は、プログラム可能なチップでもってコントロールするものであっても良く、また、固定シーケンスのアナログ回路からなるものであっても良い。
【図面の簡単な説明】
【００１２】
【図１】本発明による装置の第1の好ましい実施例を示す模式的な断面図である。
【図２】本発明による装置の第2の好ましい実施例を示す模式的な断面図である。
【発明を実施するための形態】
【００１３】
本発明の第1の態様による装置の好ましい実施例によると、磁性材料は、鉄、銅、またはニッケルからなることが想定されている。
【００１４】
磁性材料は、好ましくは、棒状磁石の形に形成される。また、同様に好ましくは、パッケージの内部に配置される。
【００１５】
本発明の第1の態様による装置の、さらなる好ましい実施例によると、パッケージが、実質上、先端面が丸められた円柱体の形状に形成され、磁性材料が、円柱体の長軸の領域に配置される。もし、磁性材料が棒磁石として設けられる場合には、好ましくは、円柱体の長軸の方向を向くように配置される。
【００１６】
本発明の装置の円柱体は、好ましくは、長さが約2.0〜5.0cmの範囲内にあり、直径が約0.5〜1.5cmの範囲内にある。
【００１７】
もし、磁性材料が棒磁石として設けられる場合には、好ましくは、棒磁石の長さが0.5〜10mmの範囲内に、棒磁石の直径が0.5〜5mm範囲内にある。
【００１８】
本発明の第1の態様による装置についての、重要な好ましい実施例によると、磁性材料によって引き起こされる磁場の強さが、地磁気の0.5〜2倍に等しい。
【００１９】
本発明の第2の態様による装置の好ましい実施例によると、駆動装置は、矩形波状、またはサイン曲線状に時間的に変化する電圧を生成する。
【００２０】
この磁性材料は、好ましくは、鉄、銅またはニッケルからなる。同様に好ましくは、コイルの内側に棒磁石が配置された形に設けられる。
【００２１】
本発明の第2の態様による装置の、さらなる好ましい実施例によると、電源と、磁性材料の周囲を囲む電気コイルと、駆動装置とが、パッケージの内部に配置される。
【００２２】
本発明の第2の態様による装置の、さらなる好ましい実施例によると、パッケージが実質上、円柱体の先端面が丸められた形状に形成され、電源と、磁性材料の周囲を囲む電気コイルと、駆動装置とが、円柱体の長軸の領域に備えられる。
【００２３】
本発明の第2の態様による装置においても、磁性材料を棒磁石の形に形成し、この棒磁石を、円柱体の長軸の方向を向くように配置することができる。円柱体は、好ましくは、約2.0〜5.0cmの長さ、及び、約0.5〜1.5cmの直径を有する。
【００２４】
本発明の装置について、以下に、図面に描かれた好ましい実施例に基づき説明する。
【００２５】
女性の陰門に挿入するための、図１に描かれた本発明のタンポン器具100は、月経の液を吸い取るための吸収性材料からなるパッケージ110を含む。ここで、パッケージ110中には、地磁気と相互作用を行う磁性材料120が組み込まれている。この磁性材料120は、鉄からなり、棒磁石の形に設けられる。この棒磁石は、パッケージ110の内部に配置される。
【００２６】
パッケージ110は、実質上、球面状の先端面111を有する円柱の形に設けられる。ここで、棒磁石は、円柱体の長軸の領域に備えられ、円柱体の長軸の方向に向けられる。
【００２７】
この円柱体は、約3.0cmの長さと、約0.7cmの直径を有する。棒磁石は、約3.0mmの長さと、2mmの直径を有する。
【００２８】
棒磁石によって引き起こされる磁場の強さは、地磁気の強さの約2倍に等しいことが想定されている。
【００２９】
女性の陰門に挿入するための、図２に描かれた本発明のタンポン器具200は、図１に描かれたタンポン器具100と、基本的に同様に形成され、月経の液を吸い取るための吸収性材料からなるパッケージ110を含む。ここで、パッケージ110中には、電源130と、電気コイル121により周囲が囲まれた磁性材料120と、コイル121に通す電流をコントロールするための駆動装置140とが組み込まれている。駆動装置140が矩形波状の電圧を生成し、コイル121が、対応する交替磁場を生成する。
【００３０】
パッケージ110は、本質的に、球面状の先端面111を有する円柱体の形状に設けられる。ここで、電源130と、磁性材料120を取り囲むコイル121と、駆動装置140とは、円柱体の長軸の領域に備えられる。
【００３１】
以上に説明した本発明の実施例は、請求の範囲に記載された発明の教示について、より良く理解するためのものであり、発明の教示が実施例によって限定されるものでない。
【図１】
0005871466.tif 000002
【図２】
0005871466.tif 000003